(57)【要約】【課題】ケーブルの布設が簡単で、かつ、短時間に布設が可能な分岐コネクタを提供する。【解決手段】電源線および／または通信線からなるケーブルを挿通する配管ラインに用いる分岐コネクタ１に関する。第１ケーブルが直線的に挿通される本管ラインの第１主パイプＰ１および第２主パイプＰ２がそれぞれ第１端部１１および第２端部１２に挿入されて接続される一直線状で、かつ、円筒状の本管部１０と、前記本管ラインから分岐する分岐ラインの分岐パイプＰ３が分岐端部２１に挿入されて接続される円筒状の分岐部２０とを備え、前記分岐部２０の軸線Ｌ２と前記本管部の軸線Ｌ１とが１０°〜７０°の角度で交わって全体がト型またはｒ型に形成されている。【選択図】図１
2011072172.tif 000002
【特許請求の範囲】
【請求項１】
電源線および／または通信線からなるケーブルを挿通する配管ラインに用いる分岐コネクタであって、
第１ケーブルが直線的に挿通される本管ラインの第１主パイプおよび第２主パイプがそれぞれ第１端部および第２端部に挿入されて接続される一直線状で、かつ、円筒状の本管部と、
前記本管ラインから分岐する分岐ラインの分岐パイプが分岐端部に挿入されて接続される円筒状の分岐部とを備え、
前記分岐部の軸線と前記本管部の軸線とが１０°〜７０°の角度で交わって全体がト型またはｒ型に形成された分岐コネクタ。
【請求項２】
請求項１において、前記本管部の外側面には肉厚の薄い薄肉部が設けられ、
該薄肉部に沿って前記本管部の周面の一部が欠損されて形成された分岐孔に、前記分岐部が連なっており、
前記本管部と前記分岐部とが互いに別々に成型された部品で構成されている分岐コネクタ。
【請求項３】
請求項１において、前記第１および第２主パイプの先端がそれぞれ当接する第１および第２ストッパが前記本管部の内周面に設けられ、
前記本管部における前記第１ストッパと第２ストッパとの間の中間部分の内径が前記第１および第２端部の内径よりも小さく、
前記分岐パイプの先端が当接する第３ストッパが前記分岐部に設けられている分岐コネクタ。
【請求項４】
請求項３において、前記本管ラインの各端部には、内周面に凹凸を有する蛇腹状の前記主パイプを接続可能であり、前記分岐部の軸線が前記中間部分の内周面と交わる分岐コネクタ。
【請求項５】
請求項４において、前記分岐部の第３ストッパの内周を前記分岐部の軸線に沿って前記本管部の内周面に投影した領域が、前記第１および第２端部に投影されることなく前記中間部分に投影される分岐コネクタ。
【請求項６】
請求項５において、前記分岐コネクタが、前記本管部の軸線を含む面において第１および第２分割パーツに２分割されており、前記第１および第２分割パーツが互いに組立可能に構成されている分岐コネクタ。
【請求項７】
請求項５において、前記分岐部に挿入して接続される第１接続部と、分岐パイプが挿入して接続される第２接続部とを備えたアタッチメントを更に有し、前記第１接続部よりも前記第２接続部の呼径が小さい分岐コネクタ。
【発明の詳細な説明】
【技術分野】
【０００１】
本発明はケーブルを挿通する配管ラインに用いる分岐コネクタに関するものである。
【背景技術】
【０００２】
一般に、住宅やビルディング、工場などの屋内や屋外における電気配線工事などは、内装工事が完了した段階で、予め布設しておいた配管ライン内に電線ケーブルを通して行われる。また、ＬＡＮ（Local Area Network) やＷＡＮ(Wide Area Network) などに用いるメタルケーブルや光ケーブルなどからなる通信ケーブルの配線においても予め布設された配管ライン内に通信線を通して行われる。
【０００３】
前記配管ラインにおいて、ケーブルを本管ラインから分岐ラインに分岐するには分岐コネクタが用いられる。従来より、種々の前記分岐コネクタが提案されている（特許文献１〜３参照）。
【先行技術文献】
【特許文献】
【０００４】
【特許文献１】特開２００７−１１０７９３（要約書）
【特許文献２】特開２００７−１０４７８７（要約書）
【特許文献３】特開２００４−１４４７５（要約書、段落００１０）
【発明の概要】
【発明が解決しようとする課題】
【０００５】
ここで、前記配管ラインにケーブルを通す効果的な方法としては、まず、呼び線と称される剛性の大きいワイヤーを配管ライン内に通す。次いで、呼び線の先端に前記ケーブルを連結し、前記呼び線を配管ラインから引き出すことにより、ケーブルが配管ラインに挿通される。
しかし、前記特許文献１〜３には、呼び線を用いてケーブルを挿通することについて何ら開示も示唆もなされていない。
【０００６】
特許文献１の分岐コネクタは、Ｙ字型に形成されている。しかし、この文献１のＹ字型の分岐コネクタは呼び線を用いるためのコネクタではない。
【０００７】
ここで、主たる配管ラインは、ラックや天井、壁などに沿って直線的に配管される。しかし、Ｙ字型の分岐コネクタの下流側に配管材を連結すると、２本の配管材の双方が主たる配管ラインの方向に対し偏向し（傾く）、そのため、主たる配管ライン自体に乱れが生じ、スペース効率の低下や、配線量の多い主配管における呼び線やケーブルの挿通に支障を来す。
【０００８】
特許文献２の分岐コネクタは、Ｔ字型に形成されており、本管ラインは分岐ラインよりも太く一直線状に形成されている。
しかし、分岐ラインが本管ラインに対して略直角に形成されているので、呼び線を分岐ラインから本管ラインの一定方向に通すことができない。
【０００９】
特許文献３の分岐コネクタは、金属の溝内に電線群を配置した後に樹脂を充填して分岐部を形成するので、配線を行いながら配管ラインを作成していく必要があり、配管ラインには不向きである。
【００１０】
したがって、本発明の目的は、本管の配管ラインを直線状に布設でき、しかも、容易かつ短時間にケーブルの布設が可能な分岐コネクタを提供することである。
【課題を解決するための手段】
【００１１】
前記目的を達成するために、本発明の分岐コネクタは、電源線および／または通信線からなるケーブルを挿通する配管ラインに用いる分岐コネクタであって、第１ケーブルが直線的に挿通される本管ラインの第１主パイプおよび第２主パイプがそれぞれ第１端部および第２端部に挿入されて接続される一直線状で、かつ、円筒状の本管部と、前記本管ラインから分岐する分岐ラインの分岐パイプが分岐端部に挿入されて接続される円筒状の分岐部とを備え、前記分岐部の軸線と前記本管部の軸線とが１０°〜７０°の角度で交わって全体がト型またはｒ型に形成されている。
【発明の効果】
【００１２】
本発明によれば、分岐部の軸線と本管部の軸線とが７０°以下の角度で交わって全体がト型またはｒ型に形成されているので、分岐ケーブルを容易に本管ラインの一定方向に向って布設することができる。そのため、分岐ラインから呼び線を本管の上流に向って容易に挿通することができる。したがって、熟練を要せず、かつ、短時間にケーブルの布設が可能である。
また、分岐ラインの端部から呼び線を挿入することで、分岐コネクタを介して呼び線を本管の上流に向って挿通することができるので、分岐コネクタを設けた箇所に作業員が立ち合う必要がなくなる。そのため、作業に要する人員の削減が可能となる。
【００１３】
かかる観点から、分岐部の軸線と本管部の軸線とのなす角θは６０°以下の角度で交わっているのが好ましく、４５°以下の角度で交わっているのが更に好ましく、３５°程度以下の角度で交わっているのが最も好ましい。
なお、角θが１０°よりも小さいと、本管の下流側の端部と分岐端部との干渉を避けるのに本管の下流側の長さが長くなる。
【００１４】
また、本管部が一直線状であるから、本コネクタをラックや天井壁などに沿って配置し易く、かつ、配管のスペース効率が良く、かつ、配線量の多い主管における呼び線やケーブルの挿通に支障を来すおそれもない。
【図面の簡単な説明】
【００１５】
【図１】本発明の実施例１にかかる分岐コネクタによる配管状態を示す概略縦断面図である。
【図２】図２Ａは分岐コネクタによる配管状態を示す概略正面図、図２Ｂは図２ＡにおけるIIB-IIB 概略断面図である。
【図３】図３Ａは実施例２にかかる分岐コネクタを示す概略縦断面図、図３Ｂは同概略正面図、図３Ｃは実施例３にかかる分岐コネクタを示す概略縦断面図である。
【図４】図４Ａは実施例４にかかる分岐コネクタを示す概略縦断面図、図４Ｂは同概略正面図である。
【図５】実施例５にかかる分岐コネクタを示す概略縦断面図である。
【図６】図６Ａは図５におけるIVA-IVA 線概略断面図、図６Ｂは図５におけるIVB-IVB 線概略断面図、図６Ｃは実施例６にかかる分岐コネクタを示す概略断面図である。
【図７】実施例７にかかる分岐コネクタによる配管状態の要部を示す概略縦断面図である。
【図８】同分岐コネクタによる配管状態を示す概略正面図である。
【図９】実施例１の分岐コネクタを用いた配管ラインを示す概略正面図である。
【図１０】図１０Ａは実施例８にかかる分岐コネクタの概略底面図、図１０Ｂは同分岐コネクタの一部破断した概略側面図、図１０Ｃは同分岐コネクタの本管部の周面の一部を欠損した状態を示す一部破断した概略側面図、図１０Ｄは本管部の概略横断面図である。
【図１１】図１１Ａは分岐ユニットを示す概略横断面図、図１１Ｂは同分岐ユニットを示す概略側面ず、図１１Ｃは同分岐ユニットを示す概略平面図である。
【図１２】同分岐コネクタによる配管状態を示す概略縦断面図である。
【発明を実施するための最良の形態】
【００１６】
本発明における好ましい態様において、前記本管部の外側面には肉厚の薄い薄肉部が設けられ、該薄肉部に沿って前記本管部の周面の一部が欠損されて形成された分岐孔に、前記分岐部が連なっており、前記本管部と前記分岐部とが互いに別々に成型された部品で構成されている。
かかる態様によれば、本管部の薄肉部に囲まれた部位を打ち抜くことで分岐孔を後に形成することができるので、新設時に薄肉部を持つ本管部を用いておれば増設したい場合に対応し得る。
【００１７】
本発明における好ましい態様において、前記第１および第２主パイプの先端がそれぞれ当接する第１および第２ストッパが前記本管部の内周面に設けられ、前記本管部における前記第１ストッパと第２ストッパとの間の中間部分の内径が前記第１および第２端部の内径よりも小さく、前記分岐パイプの先端が当接する第３ストッパが前記分岐部に設けられている。
【００１８】
かかる態様によれば、主パイプおよび分岐パイプの先端が当接する第１〜第３ストッパが設けられているので、各パイプの位置決めを容易に行うことができる。
【００１９】
本発明における好ましい態様において、前記本管ラインの各端部には、内周面に凹凸を有する蛇腹状の前記主パイプを接続可能であり、前記分岐部の軸線が前記中間部分の内周面と交わる。
【００２０】
蛇腹状の主パイプの場合、分岐部から挿入した呼び線の先端が主パイプの内周面の凹凸に引っ掛かると、呼び線の挿入に支障を来す。これに対し、本態様によれば、本管部の平滑な中間部分に分岐部の軸線が交わっているので、分岐部から挿入された呼び線の先端が蛇腹状の主パイプの内周面に引っ掛かることがなく、したがって、呼び線を前記本管部に沿って容易に通すことができる。
【００２１】
本発明における好ましい態様において、前記分岐部の第３ストッパの内周を前記分岐部の軸線に沿って前記本管部の内周面に投影した領域は、前記第１および第２端部に投影されることなく前記中間部分に投影される。
本態様によれば、分岐部から挿入された呼び線を本管部の平滑な中間部分に向って挿入することができるので、より一層、容易に呼び線を本管ラインに通すことができる。
【００２２】
このような配置にした場合、前記角θが１０°よりも小さいと、本管の上流側の長さが長くなりすぎる。かかる観点から、前記角θは２０°以上が好ましく、２５°以上が更に好ましく、３０°以上が最も好ましい。
【００２３】
本発明における好ましい態様において、前記分岐コネクタは、前記本管部の軸線を含む面において第１および第２分割パーツに２分割されており、前記第１および第２分割パーツが互いに組立可能に構成されている。
かかる態様によれば、分岐コネクタが２つのパーツに分割されているので、分岐コネクタの型抜きが容易になって、製造が容易になる。また、既設の配線が入っている配管等に本態様の分岐コネクタを後付けで増設することができる。
すなわち、既設の配管等を切断した後、前記切断された箇所に、２つのパーツに分割された分岐コネクタを嵌め込むことにより、既設の配管等に分岐コネクタを増設することが可能となる。
【００２４】
本発明における好ましい態様においては、前記分岐部に挿入して接続される第１接続部と、分岐パイプが挿入して接続される第２接続部とを備えたアタッチメントを更に有し、前記第１接続部よりも前記第２接続部の呼径が小さい。
かかる態様によれば、１種類の分岐コネクタで多種類の分岐径の配管ラインを実現することができる。
【実施例１】
【００２５】
配管ライン：
図１、図２および図９は実施例１を示す。
図９に示すように、各分岐コネクタ１は、電源線および／または通信線からなるケーブルが挿通される配管ラインの一部として、本管ラインＰＬ１の分岐部分に各々設けられる。
【００２６】
分岐コネクタ１：
前記分岐コネクタ１は一直線状の本管部１０および該本管部１０から分岐する分岐部２０を一体に備えている。前記本管部１０には、複数本の第１ケーブルＣ１が直線的に挿通される。一方、図示しない１本ないし数本の第２ケーブルＣ２，Ｃ３が本管ラインＰＬ１を通り分岐ラインＰＬ２に分かれ、つまり、本管部１０から分岐部２０に挿通されて分岐される。
【００２７】
そのため、前記本管部１０の両端部１１，１２には、本管ラインＰＬ１を構成する径大の主パイプＰ１，Ｐ２が接続されると共に、分岐部２０には分岐ラインＰＬ２を構成する径小の分岐パイプＰ３が接続される。前記本管部１０および分岐部２０はそれぞれ円筒状に形成されていると共に、図１に示すように、前記分岐部２０の内径２０Ｄは、本管部１０の内径１０Ｄよりも小さく設定されている。
【００２８】
本管部１０：
図１に示すように、前記本管ラインＰＬ１（図９）を構成する第１および第２主パイプＰ１，Ｐ２は、屈曲可能な蛇腹状に形成されており、第１および第２端部１１，１２にそれぞれ挿入されて接続される。
【００２９】
前記本管部１０の内周面１０ｃの両端部には、前記第１および第２主パイプＰ１，Ｐ２の先端Ｐａ，Ｐａがそれぞれ当接する第１および第２ストッパ１０ａ，１０ｂが設けられている。すなわち、本管部１０における第１および第２ストッパ１０ａ，１０ｂとの間の中間部分１０ｅの内径１０Ｄを第１および第２端部１１，１２の内径１１Ｄ，１２Ｄよりも小さく形成することにより、段状の第１および第２ストッパ１０ａ，１０ｂが形成されている。
【００３０】
図２Ａに示すように、前記第１および第２端部１１，１２の径方向の周囲には、分岐コネクタ１に第１および第２主パイプＰ１，Ｐ２を係合させるための第１および第２カラー３１，３２が設けられている。図１に示すように、ユニオン状の第１および第２カラー３１，３２の内部には、蛇腹状の第１および第２主パイプＰ１，Ｐ２の山折部Ｐｍに係合する多数の係合爪３ａが第１および第２主パイプＰ１，Ｐ２の外周の軸線方向に沿って設けられている。前記ユニオン状の両カラー３１，３２には、各端部１１，１２に形成された螺旋溝Ｇに嵌合する係合凸部３ｂが形成されている。
【００３１】
分岐部２０：
前記分岐部２０は本管部１０の中間部分１０ｅから斜め下方に向って分岐するように形成されている。前記分岐部２０の分岐端部２１には、分岐パイプＰ３が接続される。分岐パイプＰ３の直径は、前記第１および第２主パイプＰ１，Ｐ２の直径よりも小さく設定されている。そのため、分岐端部２１の内径２１Ｄは、第１および第２端部１１，１２の内径１１Ｄ，１２Ｄよりも小さい。
【００３２】
図２Ａに示すように、前記分岐端部２１には、分岐部２０に分岐パイプＰ３を係合するための第３カラー３３が設けられている。図１に示すように、ユニオン状の第３カラー３３の内部には、蛇腹状の分岐パイプＰ３の山折部Ｐｍに係合する多数の係合爪３ａが分岐パイプＰ３の外周に軸線方向に沿って設けられている。前記ユニオン状の第３カラー３３には、分岐端部３１に形成された螺旋溝Ｇに嵌合する係合凸部３ｂが形成されている。
【００３３】
なお、第１〜第３カラー３１，３２，３３は、該カラー３１，３２，３３を第１〜第３端部１１，１２，２１の周囲に回動させることにより、係合爪３ａが径方向に向って開き、係合爪３ａと第１〜第３主パイプＰ１，Ｐ２，Ｐ３との係合を解くことができるように、それぞれ設定されている。
【００３４】
図２Ａおよび図２Ｂに示すように、分岐部２０の軸線Ｌ２は、本管部１０の中間部分１０ｅの内周面１０ｃと交わるように設定されている。分岐部２０の軸線Ｌ２と、一点鎖線で示す本管部１０の軸線Ｌ１とが交わる角θは、たとえば、３０°〜３５°程度に設定されている。そのため、分岐コネクタ１は、全体がト型、すなわち、ブロック体の小文字のｙ字型に形成されている。
【００３５】
図１に示すように、分岐部２０が本管部１０に接続される位置は、二点鎖線で示す分岐部２０の第３ストッパ２０ａの内周２０ｃを、一点鎖線で示す分岐部２０の軸線Ｌ２に沿って本管部１０の内周面１０ｃに投影した領域ＰＡが、第１および第２端部１１，１２に投影されることなく、中間部分１０ｅに投影される位置に設定されている。
【００３６】
分岐部２０と本管部１０とが継がる部分において、その内部の周囲２０ｈは丸みを帯びた形状に形成されているのが好ましい。
【００３７】
なお、本実施例のコネクタ１は合成樹脂で形成されている。
【００３８】
ケーブルの配設方法：
以下の説明では、電源線の配線作業を例示して説明する。
まず、住宅やビルディング、工場などの屋内や屋外において配管ラインを布設する。
前記配管ラインの布設によって、図９に示す本管ラインＰＬ１を構成する主パイプＰ１は、その端部が配電盤等に挿入される。なお、前記配電盤には、複数の本管ラインＰＬ１が接続されていてもよい。
【００３９】
前記分岐コネクタ１は、第１端部１１側が上流側（配電盤側）になるように、該第１端部１１が主パイプＰ１に接続される。
【００４０】
本管ラインの配線：
その後、本管ラインＰＬ１内に、たとえばワイヤーなどからなる呼び線が通される。前記呼び線は、図示しない配電盤Ｘ１（上流）に向って挿通される。かかる挿通時において、分岐コネクタ１では、図２に示す本管部１０内を呼び線が挿通方向Ｘ１に挿通される。すなわち、前記呼び線は、図２の第２主パイプＰ２内から本管部１０内を通り、第１主パイプＰ１に向かう挿通方向Ｘ１に通される。
【００４１】
前記呼び線の挿通作業によって、図９に示す主パイプＰ１の端部から呼び線の先端部分が出ると、該先端部分に各ケーブルが結び付けられる。
【００４２】
その後、前記呼び線を挿入した第２主パイプＰ２の端部から引出方向Ｘ２に向って引き出すと、該呼び線が引き出されると共に、呼び線に結び付けられたケーブルの端部が本管ラインＰＬ１を通り引き出される。かかる呼び線の引き出しによって、本管ラインＰＬ１内にケーブルＣ１が通線される。
【００４３】
前記引出時において、図２に示す分岐コネクタ１では、まず、呼び線が引出方向Ｘ２に移動される。すなわち、第１端部１１内から本管部１０内を通り第２端部１２に移動される。その後、前記呼び線に結び付けられたケーブルが第１端部１１内から本管部１０内を通り第２端部１２を通過し、引出方向Ｘ２に移動される。
【００４４】
その後、前記引き出された呼び線をケーブルから外し、所定の機器に接続する。
【００４５】
分岐ラインの配線：
一方、ケーブルを、図９の本管ラインＰＬ１から分岐ラインＰＬ２に挿通させる場合には、まず、呼び線を分岐パイプＰ３から分岐部２０を介して本管部１０内を通す。
【００４６】
ここで、図１に示すように、分岐部２０の内周２０ｃを分岐部２０の軸線Ｌ２に沿って本管部１０の内周面１０ｃに投影した領域ＰＡは、第１および第２端部１１，１２に投影されることなく、中間部分１０ｅに投影されるように設定されている。そのため、分岐部２０内を侵入方向Ｙ１に通された呼び線は、本管部１０内に引っ掛けることなくスムースに第１主パイプＰ１内に挿通される。
【００４７】
なお、図９に示すように、複数の分岐コネクタ１が本管ラインＰＬ１に繋がれている場合、下流側の分岐コネクタ１（１Ａ）の分岐ラインＰＬ２から挿入された呼び線Ｃ３は、上流側の分岐コネクタ１（１Ｂ）の本管部１０内を挿通される。
【００４８】
分岐ラインＰＬ２から挿入された呼び線の先端部分が、前記配電盤側の主パイプＰ１の端部から出ると、該先端部分にケーブルが結び付けられる。
【００４９】
その後、前記呼び線を分岐ラインＰＬ２から引き戻すと、該呼び線が図２に示す戻し方向Ｙ２に引き出され、呼び線に結ばれたケーブルが第１主パイプＰ１を通り分岐パイプＰ３から引き出される。
【００５０】
ここで、前述したように、図１に示す本管部１０と分岐部２０とが接する部分において、その内部の周囲２０ｈは丸みを帯びた形状に形成されている。そのため、呼び線とケーブルとの結び目などが前記境界部分に引っ掛かるおそれがない。特に、比較的細いケーブルなどにおいては、そのコネクタ部分が本管部１０と分岐部２０との境界部分に引っ掛かるのを防止することができる。
【００５１】
その後、前記引き出された呼び線をケーブルから外し、当該ケーブルの端部を所定の機器に接続する。
【実施例２】
【００５２】
図３Ａおよび図３Ｂは実施例２を示す。
図３Ａおよび図３Ｂに示すように、本実施例２の分岐コネクタ１には、前述したカラー３１，３２，３３（図２）が設けられておらず、本管部１０の両側には円筒形の第１および第２端部１１，１２が一体に形成されている。
第１端部１１、第２端部１２および分岐端部２１には、第１主パイプＰ１、第２主パイプＰ２および分岐パイプＰ３がそれぞれ接着されて固定される。
その他の構成は、実施例１と同様であり、同一部分または相当部分に同一符号を付して、その説明を省略する。
【実施例３】
【００５３】
図３Ｃは実施例３を示す。
図３Ｃに示すように、分岐コネクタ１の分岐部２０は、湾曲して形成されており、分岐コネクタ１はブロック体のｒ型に形成されている。この場合、分岐側の金型は回転して型抜きされる。
その他の構成は、実施例２と同様であり、同一部分または相当部分に同一符号を付して、その説明を省略する。
【実施例４】
【００５４】
図４は実施例４を示す。
図４Ａおよび図４Ｂに示すように、本実施例２の分岐コネクタ１は、カラー３１，３２，３３（図２）が設けられておらず、本管部１０の両側には第１および第２端部１１，１２が一体に形成されている。
前記第１端部１１、第２端部１２および分岐端部２１には、第１主パイプＰ１、第２主パイプＰ２および分岐パイプＰ３を押し付けてを固定するための止めネジ５がそれぞれ設けられている。第１端部１１、第２端部１２および分岐端部２１には、止めネジ５が螺合する雌ネジがそれぞれ形成されている。
なお、本実施例のコネクタ１は鉄等の金属で形成されている。
その他の構成は、実施例２と同様であり、同一部分または相当部分に同一符号を付して、その詳しい説明および図示を省略する。
【実施例５】
【００５５】
図５、図６Ａおよび図６Ｂは実施例５を示す。
図５、図６Ａおよび図６Ｂに示すように、分岐コネクタ１は、本管部１０の軸線Ｌ１を含む面において、２分割されており、第１分割パーツ１ａと第２分割パーツ１ｂとに分割されている。図５および図６Ａに示すように、前記第１分割パーツ１ａと第２分割パーツ１ｂとは、係合爪１ｆを介して樹脂弾性によって互いに係合される。
【００５６】
この場合、既設の配線が入っている配管等に後付けで分岐配管を増設することができる。また、本管部１０と分岐部２０とが接する周囲２０ｈの部分の型抜きが容易になる。
その他の構成は、実施例１と同様であり、同一部分または相当部分に同一符号を付して、その説明を省略する。
【実施例６】
【００５７】
図６Ｃは実施例６を示す。
図６Ｃに示すように、分岐コネクタ１は、図６Ｃの左右の第１および第２分割パーツ１ｃ，１ｄに分割されている。
その他の構成は、実施例５と同様であり、同一部分または相当部分に同一符号を付して、その説明を省略する。
【実施例７】
【００５８】
図７および図８は実施例７を示す。
図８に示すように、本実施例７では、前述した実施例１の分岐端部２１にアタッチメント４０が挿入されている。前記アタッチメント４０は、分岐パイプＰ３（図２）よりも径小の分岐パイプＰ４を接続するためのものである。
【００５９】
前記アタッチメント４０は、たとえば合成樹脂からなり、分岐端部２１に挿入して接続される円筒形の第１接続部４１と、分岐パイプＰ４が挿入されて接続される円筒形の第２接続部４２とを一体に備えている。図７に示すように、アタッチメント４０において、第２接続部４２の呼径は、前記第１接続部４１の呼径よりも小さく設定されている。そのため、分岐端部２１にアタッチメント４０を接続することで、分岐端部２１の呼径よりも径小の分岐パイプＰ４を分岐部２０に接続することができる。
【００６０】
前記第１接続部４１の外周には、分岐パイプＰ３（図１）の山折部Ｐｍと同じピッチで山谷部４０ｍが複数本形成されている。分岐端部２１内に挿入されたアタッチメント４０の先端４０ａが第３ストッパ２０ａに当接すると共に、該アタッチメント４０の山谷部４０ｍが係合爪３ａに係合することにより、アタッチメント４０が分岐端部２１に固定される。
【００６１】
前記アタッチメント４０にはカラー４４が設けられている。
アタッチメント４０内に挿入された分岐パイプＰ４は、その先端が第４ストッパ４０ｂに当接すると共に、カラー４４の係合爪３ａに該分岐パイプＰ４の山折部Ｐｍが係合等することにより、アタッチメント４０に分岐パイプＰ４が接続される。
その他の構成は、実施例１と同様であり、同一部分または相当部分に同一符号を付して、その説明を省略する。
【実施例８】
【００６２】
図１０〜図１２は実施例８を示す。
図１２に示すように、本実施例の分岐コネクタは、本管部１０と、該本管部１０に接続される分岐ユニット２とが互いに別々に成型された部品で構成されている。
本分岐コネクタは、本管部１０の施工後に分岐ユニット２を取り付けることにより、分岐部２０を増設することができる。すなわち、新設時に本実施例の本管部１０を用いておれば分岐部２０を増設したい場合に対応し得るものである。
以下、主として前述した実施例１と異なる部分について説明する。
【００６３】
本管部１０：
図１０Ａ、図１０Ｂおよび図１０Ｄに示すように、本管部１０の両端部には、第１および第２端部１１，１２が設けられており、前記第１および第２端部１１，１２にそれぞれ第１および第２主パイプＰ１，Ｐ２（図１２Ａ）がそれぞれ接続されて施工される。
【００６４】
前記本管部１０には、肉厚の薄い薄肉部１０ｆが設けられている。図１０Ａに示すように、前記薄肉部１０ｆは、底面から見て例えば長円形のループ状に形成されている。
【００６５】
前記本管部１０の施工後に分岐部２０（図１１）を取り付ける際には、図１０Ｃに示すように、薄肉部１０ｆに沿って該薄肉部１０ｆに囲まれた本管部１０の側面を打ち抜く。  本管部１０の薄肉部１０ｆに囲まれた部位１０ｓ（図１０Ａ）を打ち抜くことにより、本管部１０の周面１０ｃの一部が欠損された分岐孔１３が形成される。
【００６６】
分岐ユニット２：
図１１Ａ〜図１１Ｃに示すように、前記分岐ユニット２は、分岐部２０、カバー部２４および一対の締結部２５が一体に形成されている。
前記分岐部２０のカバー部２４側の端部の周囲には、図１２Ａおよび図１２Ｂに示すように、本管部１０の分岐孔１３に嵌合する長円形の嵌入部２３が形成されている。この嵌入部２３は前記カバー部２４の内周面２４ａから中心に向って突出している。
図１２Ｂに示すように、前記カバー部２４は、本管部１０の外周部分を覆うような形状に形成されており、前記カバー部２４はＣ字状の断面を有し、図１２Ａの本管部１０の外周面に嵌合する。
前記一対の締結部２５は、互いに平行に前記カバー部２４から突出するように設けられている。二点鎖線で示す締付ボルト４０およびナット４１を前記締結部２５に形成された締結孔２６に挿通させて締結することで、分岐ユニット２が本管部１０に固定される。
【００６７】
ここで、図１２Ａに示すように、本管部１０の分岐孔１３と、分岐ユニット２の嵌入部２３との間に段が生じないように、分岐ユニット２の嵌入部２３が形成されている。また、分岐ユニット２において、本管部１０と分岐部２０とが接する周囲２０ｈの断面は滑らかな円弧状に形成されている。
【００６８】
このように、新設時に本実施例の本管部１０を用いることにより、施工後に分岐部２０を増設したい場合に、薄肉部１０ｆに囲まれた本管部１０の側面を打ち抜き、本管部１０に分岐ユニット２を取り付けることにより、分岐部２０を増設することができる。
【産業上の利用可能性】
【００６９】
本発明の分岐コネクタは電源線や通信線の配線に用いることができる。
【符号の説明】
【００７０】
１：分岐コネクタ
１ａ：第１分割パーツ
１ｂ：第２分割パーツ
１０：本管部
１０ａ：第１ストッパ
１０ｂ：第２ストッパ
１０ｅ：中間部分
１１：第１端部
１２：第２端部
２０：分岐部
２０ａ：第３ストッパ
２１：分岐端部
４１：第１接続部
４２：第２接続部
Ｌ１：（本管部の）軸線
Ｌ２：（分岐部の）軸線
Ｐ１：第１主パイプ
Ｐ２：第２主パイプ
Ｐ３：分岐パイプ
ＰＬ１：本管ライン
ＰＬ２：分岐ライン
【図１】
2011072172.tif 000003
【図２】
2011072172.tif 000004
【図３】
2011072172.tif 000005
【図４】
2011072172.tif 000006
【図５】
2011072172.tif 000007
【図６】
2011072172.tif 000008
【図７】
2011072172.tif 000009
【図８】
2011072172.tif 000010
【図９】
2011072172.tif 000011
【図１０】
2011072172.tif 000012
【図１１】
2011072172.tif 000013
【図１２】
2011072172.tif 000014